(57)【要約】【課題】  クワガタムシの幼虫の全成長過程を影響なく確実に観察できるようにした昆虫の幼虫飼育観察装置を提供する。【解決手段】  片面が開放された透明又は半透明の薄型の外箱２と内箱３を開放面が対向するように縦向きに配置し、外箱２の内側に内箱３をスライド可能に挿入し、内部に幼虫飼育用のマットＭを入れて飼育室４を形成し、外箱２の側面に内箱３を所定のスライド位置で保持するネジ３ｂを設け、外箱２の下部に飼育室４内のマットＭを加温する温水器５を設け、内箱３を外側へスライドさせて飼育室４の奥行きを幼虫Ｂの成長に沿って調節できるようにした。【選択図】図１
0003125854.tif 000002
【実用新案登録請求の範囲】
【請求項１】
片面が開放された透明又は半透明の薄型の２体の箱体を開放面が対向するように縦向きに配置し、一方の箱体の内側に他方の箱体をスライド可能に挿入して内部に幼虫飼育用のマットを入れて飼育室を形成し、箱体を所定のスライド位置で保持する保持手段を設け、片方の箱体を外側へスライドさせて飼育室の奥行きを幼虫の成長に沿って調節できるようにしたことを特徴とする、昆虫の幼虫飼育観察装置。
【請求項２】
飼育室の奥行きが１〜５ｃｍの範囲で調節できるようにしたものである、請求項１記載の昆虫の幼虫飼育観察装置。
【請求項３】
外側の箱体の下部に飼育室内を加温する温水器を設けた、請求項１又は２記載の昆虫の幼虫飼育観察装置。
【請求項４】
請求項１〜３いずれか記載の昆虫の幼虫飼育観察装置がクワガタムシ・カブトムシ・コガネムシ・カミキリムシのいずれかの幼虫の飼育観察に用いられるものである、昆虫の幼虫飼育観察装置。
【請求項５】
片面が開放された透明又は半透明の薄型の２体の箱体を開放面が対向するように縦向きに配置し、一方の箱体の内側に他方の箱体をスライド可能に挿入し、内部に幼虫飼育用のマットを入れて奥行きが１〜５ｃｍの範囲で調節できる飼育室を形成し、箱体を所定のスライド位置で保持する保持手段を設け、外側の箱体の下部に飼育室内を加温する温水器を設け、片方の箱体を外側へスライドさせて飼育室の奥行きを幼虫の成長に沿って調節できるようにしたことを特徴とする、昆虫の幼虫飼育観察装置。
【考案の詳細な説明】
【技術分野】
【０００１】
本考案は、主としてクワガタムシの幼虫を飼育・観察するための装置に関する。
【背景技術】
【０００２】
クワガタムシ等の甲虫類の幼虫飼育観察装置が特許文献１に開示されている。この技術は、所定間隔をおいた縦向きの２枚の透明板を支持板のスリットに差し込んで観察室を形成し、これを透明の飼育ケース内に脱着自在に取り付けた構造を特徴としている。この観察室にマットと幼虫を上方から入れ、飼育ケースと透明板を介して巣の中の幼虫を観察しながら飼育し、幼虫が成虫に変態後は透明板と支持板を取り外して成虫を飼育ケース内で飼育できるようにしたものである。
【０００３】
ところで、この技術は観察室の幅が固定されるものであるから、幼虫が大きく成長しても観察室内で問題なく活動できるように成長後の幼虫の巣の大きさを予め予想して透明板間の間隔を大きめにしておく必要がある。しかしながら、１齢幼虫から飼育を開始した場合などは幼虫の体がまだ小さいから透明板の面に巣の断面が現われ難く、ある程度成長しなければ幼虫を観察できないことがあった。
【０００４】
また、支持板のスリットを複数形成し、透明板を他のスリットに差し替えて透明板間の間隔を幼虫の成長に沿って大きくしていくことも考えられるが、差し替え時にマットと幼虫を観察室から一旦取り出す必要があり、慎重に作業してもその度に巣が壊れて幼虫を傷つけたり衝撃を与えてしまうことがあった。
【特許文献１】特開平７−２２７１７７号公報
【考案の開示】
【考案が解決しようとする課題】
【０００５】
本考案が解決しようとする課題は、従来のこれらの問題点を解消し、成長途中の幼虫に衝撃等の影響を与えずに幼虫の全成長過程を確実に観察できるようにした昆虫の幼虫飼育観察装置を提供することにある。
【課題を解決するための手段】
【０００６】
かかる課題を解決した本考案の構成は、
１）  片面が開放された透明又は半透明の薄型の２体の箱体を開放面が対向するように縦向きに配置し、一方の箱体の内側に他方の箱体をスライド可能に挿入して内部に幼虫飼育用のマットを入れて飼育室を形成し、箱体を所定のスライド位置で保持する保持手段を設け、片方の箱体を外側へスライドさせて飼育室の奥行きを幼虫の成長に沿って調節できるようにしたことを特徴とする、昆虫の幼虫飼育観察装置
２）  飼育室の奥行きが１〜５ｃｍの範囲で調節できるようにしたものである、前記１）記載の昆虫の幼虫飼育観察装置
３）  外側の箱体の下部に飼育室内を加温する温水器を設けた、前記１）又は２）記載の昆虫の幼虫飼育観察装置
４）  前記１）〜３）いずれか記載の昆虫の幼虫飼育観察装置がクワガタムシ・カブトムシ・コガネムシ・カミキリムシのいずれかの幼虫の飼育観察に用いられるものである、昆虫の幼虫飼育観察装置
５）  片面が開放された透明又は半透明の薄型の２体の箱体を開放面が対向するように縦向きに配置し、一方の箱体の内側に他方の箱体をスライド可能に挿入し、内部に幼虫飼育用のマットを入れて奥行きが１〜５ｃｍの範囲で調節できる飼育室を形成し、箱体の側面に箱体を所定のスライド位置で保持する保持手段を設け、外側の位置する箱体の下部に飼育室内を加温する温水器を設け、片方の箱体を外側へスライドさせて飼育室の奥行きを幼虫の成長に沿って調節できるようにしたことを特徴とする、昆虫の幼虫飼育観察装置
にある。
【考案の効果】
【０００７】
本考案によれば、幼虫の成長に沿っていずれか一方の箱体を外側へスライドさせて飼育室の奥行きを拡大方向に少しずつ調節することで、成長した幼虫が箱体の内面に接触したりして影響を与えることなく巣の断面が飼育室の面に常に現われ易くなり、幼虫の全成長過程が確実に観察できるようになる。また、箱体のスライド時の振動は極めて小さいから、幼虫に加わる衝撃等はほとんどなく安全である。
【考案を実施するための最良の形態】
【０００８】
本考案では、クワガタムシの幼虫の飼育は飼育室の奥行きを１〜５ｃｍの範囲で調節できるようにしたものが望ましいが、例えばカブトムシなど大型に成長する幼虫ではこの範囲に限定されるものではなく、飼育する幼虫の種類に適した寸法に形成される。また、外側の箱体の下部に飼育室内を加温する温水器を設け、室温が低い場合など飼育に必要な温度に加温する手段が設けられる。以下、本考案の実施例を図面に基づいて具体的に説明する。
【実施例１】
【０００９】
図１〜７に示す実施例は、クワガタムシの幼虫飼育観察装置の例である。図１は実施例の幼虫飼育観察装置の斜視図、図２は実施例の側面から見た幼虫飼育観察装置の縦断面図、図３は実施例の正面から見た幼虫飼育観察装置の縦断面図、図４は実施例の内箱のスライド位置の保持手段を示す説明図、図５は実施例の温水器への注水を示す説明図、図６は実施例の幼虫の配置と外箱の挿入を示す説明図、図７は実施例の内箱のスライドを示す説明図である。
【００１０】
図中、１は幼虫飼育観察装置、２は外箱、２ａはスライド孔、２ｂは目盛り、３は内箱、３ａはネジ孔、３ｂはネジ、４は飼育室、５は温水器、５ａは注水口、５ｂは排水口、５ｃは栓、５ｄはヒーター、５ｅはスタンド、５ｆは接続部、５ｇは電源コード、５ｈはプラグ、５ｉは接続部、６はスタンド、７はチューブ、Ｂは幼虫、Ｍはマット、Ｍａは巣、Ｗは水である。
【００１１】
本実施例の幼虫飼育観察装置１は、図１，２に示すように片面が開放された透明なプラスチック製の薄型の外箱２と内箱３を開放面が対向するように縦向きに配置し、外箱２の内側に内箱３をスライド可能に挿入して内部にマットＭと幼虫Ｂを入れる飼育室４を形成している。外箱２と内箱３の重ね合わせ部分は互いが密接してマットＭが外部に漏れないようにしている。
【００１２】
外箱２の左右側面の上下それぞれには楕円状のスライド孔２ａと目盛り２ｂを形成し、スライド孔２ａを介して内箱３に螺刻したネジ孔３ａにネジ３ｂを止めて内箱３のスライド位置を４箇所で保持できるようにしている。外箱２と内箱３の上面はそれぞれ開放し、マットＭの補充や水分の補給ができるようにしている。飼育室４の奥行きは１〜５ｃｍの範囲で調節できるようにしている。
【００１３】
外箱２の下部には温水器５を一体的に取り付けている。温水器５は正面に栓５ｃを備えた注水口５ａと排水口５ｂをそれぞれ形成し、内部に１００Ｖ電源で駆動する水中用の５５Ｗのヒーター５ｄをスタンド５ｅで配置し、電源コード５ｇは温水器５の側面に磁石を備えた接続部５ｆ，５ｉを介して脱着自在に磁着できるようにしている。
【００１４】
本実施例では、図５に示すように幼虫飼育観察装置１を横倒しにして温水器５の栓５ｃを外し、例えばチューブ７等の手段で注水口５ａから水Ｗをいっぱいに注水して栓５ｃで閉塞する。このとき、排水口５ｂも開放しておくと空気を抜きながら円滑に注水できる。続いて、図６（ａ）に示すように外箱２を取り外して内箱３にマットＭと数匹の幼虫Ｂを入れ、図６（ｂ）に示すように外箱２を上から被せて元の状態に装着する。内箱３は最左端（左側面では最右端）の目盛り２ｂの位置でネジ３ｂにより固定し、飼育室４の奥行きを一番狭い状態にする。
【００１５】
この幼虫飼育観察装置１を２体のスタンド６に立て、コンセント（図示せず）にプラグ５ｈを差し込んだ電源コード５ｇの接続部５ｉを温水器５の接続部５ｆに磁着し、ヒーター５ｄが水Ｗを４０〜５０℃の湯にして飼育室４のマットＭを下方から加温する。マットＭの温度は上下位置で異なっており、幼虫Ｂは好みの温度の位置にそれぞれ移動してマットＭを食べ、その場で糞と体液により巣Ｍａを作る。この状態で図１，図７（ａ）に示すように巣Ｍａの断面が外箱２の面に現れて幼虫Ｂの様子が観察できる。
【００１６】
その後、幼虫Ｂが成長してやや大きくなったのが分かると、図７（ｂ）に示すようにネジ３ｂを緩め、４つの目盛り２ｂを確認しながら内箱３を外側へ静かにスライドさせて飼育室４の奥行きを拡張し、ネジ３ｂを締め直す。このとき、拡張して形成された空隙にマットＭが流れて充填される。巣Ｍａは糞と体液で内壁が固められており、内箱３のスライドによる若干の揺れ等で容易に壊れることはない。また、内箱３のスライド量を４つの目盛り２ｂで正確に合わせることにより、飼育室４の奥行きはどの場所でも同一となり、幼虫Ｂは飼育室４を影響なくどこへでも移動できる。
【００１７】
幼虫ＢはさらにマットＭを食べて１〜３齢と成長しながら巣Ｍａを徐々に広げていくが、飼育室４の奥行きは予め拡張したから幼虫Ｂの体が外箱２の内面に接触することはなく、巣Ｍａの断面は常に外箱２の面に現れて観察を継続できる。３齢幼虫が成熟すると蛹化して１ヶ月ほどで羽化し、羽化した成虫は活動を開始するまでそのまま飼育を継続し、活動してくると一般的な飼育ケースに移し替えて飼育する。
【００１８】
このようにして、幼虫Ｂの成長に沿って内箱３を外側へスライドさせて飼育室４の奥行きを拡大方向に少しずつ調節することで、成長した幼虫Ｂが外箱２の内面に接触したりして影響を受けることなく巣Ｍａの断面が外箱２の面に常に現われ、幼虫Ｂの全成長過程が確実に観察できるようになった。
【産業上の利用可能性】
【００１９】
本考案は、クワガタムシの他、カブトムシ・コガネムシ・カミキリムシ等の甲虫類の幼虫の飼育・観察に利用できる。
【図面の簡単な説明】
【００２０】
【図１】実施例の幼虫飼育観察装置の斜視図である。
【図２】実施例の側面から見た幼虫飼育観察装置の縦断面図である。
【図３】実施例の正面から見た幼虫飼育観察装置の縦断面図である。
【図４】実施例の内箱のスライド位置の保持手段を示す説明図である。
【図５】実施例の温水器への注水を示す説明図である。
【図６】実施例の幼虫の配置と外箱の挿入を示す説明図である。
【図７】実施例の内箱のスライドを示す説明図である。
【符号の説明】
【００２１】
１  幼虫飼育観察装置
２  外箱
２ａ  スライド孔
２ｂ  目盛り
３  内箱
３ａ  ネジ孔
３ｂ  ネジ
４  飼育室
５  温水器
５ａ  注水口
５ｂ  排水口
５ｃ  栓
５ｄ  ヒーター
５ｅ  スタンド
５ｆ  接続部
５ｇ  電源コード
５ｈ  プラグ
５ｉ  接続部
６  スタンド
７  チューブ
Ｂ  幼虫
Ｍ  マット
Ｍａ  巣
Ｗ  水
【図１】
0003125854.tif 000003
【図２】
0003125854.tif 000004
【図３】
0003125854.tif 000005
【図４】
0003125854.tif 000006
【図５】
0003125854.tif 000007
【図６】
0003125854.tif 000008
【図７】
0003125854.tif 000009